【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
複数の入れ子式管部を有する入れ子式マスト用のラッチアセンブリであって、
付随する第１の管部に取り付け可能なラッチ本体と、
前記ラッチ本体に支持されたラッチ機構と、
前記ラッチ機構に動作可能に連結されたトグル機構と、
付随する第２の管部に取り付け可能なラッチプレートと
を有し、
前記ラッチ機構は、前記ラッチプレート内の対応する凹部とかみ合うことにより前記第１および第２の管部の軸方向の動きを制約する係合位置と、前記第１および第２の管部の軸方向の相対的な動きを可能にする係合解除位置との間で枢動可能な爪部材を含み、
前記トグル機構は、前記ラッチ機構の前記係合位置に対応するオーバーセンターロック構成と、前記ラッチ部材の前記係合解除位置に対応するロック解除構成との間で動くことができる
ラッチアセンブリ。
【請求項２】
請求項１記載のラッチアセンブリにおいて、前記トグル機構は、前記ラッチ本体に枢動可能に固定されたカムプレートと、枢軸継手において前記カムプレートに枢着され前記爪部に動作可能に連結された連結アームとを含み、前記枢軸継手は、前記ラッチ本体への前記爪部の取り付け点に対してオーバーセンターに回転するよう構成されるものであるラッチアセンブリ。
【請求項３】
請求項１または２記載のラッチアセンブリにおいて、前記爪部は、前記爪部材が前記係合位置にあるとき当該爪部に対応した前記ラッチプレートの傾斜面に嵌合する傾斜面を含み、前記傾斜面は、前記ラッチ機構が係合されたとき前記付随する第１および第２の管の相対回転を制約するものであるラッチアセンブリ。
【請求項４】
請求項１〜３のいずれか１つに記載のラッチアセンブリにおいて、前記爪部は、それに対応した前記ラッチプレートの傾斜面に嵌合する複合角度を有する傾斜面を含むものであるラッチアセンブリ。
【請求項５】
請求項１〜４のいずれか１つに記載のラッチアセンブリにおいて、前記ラッチ本体は、前記ラッチ本体を付随する管部に固定する取り付け用フランジを含むものであるラッチアセンブリ。
【請求項６】
請求項１〜５のいずれか１つに記載のラッチアセンブリにおいて、このラッチアセンブリは、さらに、
隣接する管部に取り付け可能なトリガー支柱を有し、
前記トグル機構は、隣接し付随する管部のトリガー支柱とかみ合うよう構成されたカムプレートを含み、前記トリガー支柱は、隣接しあう管部間の相対運動に基づき、前記ロックおよびロック解除位置間で前記トグル機構をトグルするよう動作可能であるラッチアセンブリ。
【請求項７】
請求項６記載のラッチアセンブリにおいて、前記トリガー支柱はＴ字状の部分を含み、当該Ｔ字状の部分は、ステム部分と、このステム部分に略垂直な頂部とを有し、前記カムプレートは、前記ステム部分の対向しあう側部上で前記頂部の対向しあう側部の各々とかみ合うようなっているキャッチ部を含むものであるラッチアセンブリ。
【請求項８】
請求項６または７記載のラッチアセンブリにおいて、前記トグル機構は、前記トリガー支柱が前記ラッチ本体から引き離されると、前記ロック位置に移動し、前記トリガー支柱が前記ラッチ本体へ向かって動かされて前記トグル機構に当たると、前記ロック解除位置に移動するよう構成されるものであるラッチアセンブリ。
【請求項９】
入れ子式マストであって、
複数の入れ子式管部と、
第１の管部に取り付けられ、ラッチ機構と当該ラッチ機構に動作可能に連結されたトグル機構とを支持する、ラッチ本体と、
第２の管部に取り付けられたラッチプレートであって、前記第２の管部は前記第１の管部内に入れ子式に受容されるようなっている、ラッチプレートと
を有し、
前記ラッチ機構は、前記第２の管部が延長されたとき前記ラッチプレート内の対応する凹部とかみ合うことにより前記第１および第２の管部の軸方向の動きを制約する係合位置と、前記第２の管部が前記第１の管部に入れ子式に受容可能になるよう、前記第１および第２の管部の軸方向の相対的な動きを可能にする係合解除位置との間で枢動可能な爪部材を含み、
前記トグル機構は、前記ラッチ機構の前記係合位置に対応するオーバーセンターロック構成と、前記ラッチ部材の前記係合解除位置に対応するロック解除構成との間で動くことができる
入れ子式マスト。
【請求項１０】
請求項９記載の入れ子式マストにおいて、前記トグル機構は、前記ラッチ本体に枢動可能に固定されたカムプレートと、枢軸継手において前記カムプレートに枢着され前記爪部に動作可能に連結された連結アームとを含み、前記枢軸継手は、前記ラッチ本体への前記爪部の取り付け点に対してオーバーセンターに回転するよう構成されるものである入れ子式マスト。
【請求項１１】
請求項９または１０記載の入れ子式マストにおいて、前記爪部は、前記爪部材が前記係合位置にあるとき当該爪部に対応した前記ラッチプレートの傾斜面に嵌合する傾斜面を含み、前記傾斜面は、前記ラッチ機構が係合されたとき前記付随する第１および第２の管の相対回転を制約するものである入れ子式マスト。
【請求項１２】
請求項９〜１１のいずれか１つに記載の入れ子式マストにおいて、前記爪部は、それに対応した前記ラッチプレートの傾斜面に嵌合する複合角度を有する傾斜面を含むものである入れ子式マスト。
【請求項１３】
請求項９〜１２のいずれか１つに記載の入れ子式マストにおいて、前記ラッチ本体は、前記ラッチ本体を前記第１の管部に固定する取り付け用フランジを含むものである入れ子式マスト。
【請求項１４】
請求項９〜１３のいずれか１つに記載の入れ子式マストにおいて、この入れ子式マストは、さらに、
トリガー支柱であって、前記第１および第２の管部が入れ子式に受容されるよう構成された第３の管部に取り付けられたトリガー支柱を有し、
前記トグル機構は、前記トリガー支柱とかみ合うよう構成された少なくとも１つのキャッチ部を有するカムプレートを含み、前記トリガー支柱は、隣接しあう管部間の相対運動に基づき、前記ロックおよびロック解除位置間で前記トグル機構をトグルするよう動作可能である入れ子式マスト。
【請求項１５】
請求項１４記載の入れ子式マストにおいて、前記トリガー支柱はＴ字状の部分を含み、当該Ｔ字状の部分は、ステム部分と、このステム部分に略垂直な頂部とを有し、前記カムプレートの少なくとも１つのキャッチ部は、前記ステム部分の対向しあう側部上で前記頂部の対向しあう側部の各々とかみ合うよう構成されるものであり、
前記トグル機構は、前記ラッチ本体が取り付けられた管部が前記トリガー支柱が取り付けられた管部から延長されて前記トリガー支柱が前記ラッチ本体から引き離されると、前記ロック位置に移動し、前記ラッチ本体が取り付けられた管部が前記トリガー支柱が取り付けられた管部内へ引き込まれて前記トリガー支柱が前記ラッチ本体へ向かって移動され前記トグル機構に当たると、前記ロック解除位置に移動するように構成されるものである
入れ子式マスト。
【手続補正２】
【補正対象書類名】明細書
【補正対象項目名】００１１
【補正方法】変更
【補正の内容】
【００１１】
現行のロック設計は、傾向として、大きな音を立て、広いスペースを必要とし、手作業での係合を必要とし、および／または別個の電源を必要とする。また、ロック設計の多くは、延長位置にある管しかロックしない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２００９／０５８２４１号
（特許文献２）  独国特許出願公開第３１１６７７０号明細書  
（特許文献３）  独国実用新案第２０２００６００７０１２号明細書
（特許文献４）  国際公開第９３／０７３９５号
（特許文献５）  米国特許出願公開第２００９／０１１０５２７号明細書
（特許文献６）  米国特許第６，０００，３５４号明細書
（特許文献７）  米国特許第４，２５４，４２３号明細書
（特許文献８）  米国特許第４，６６３，９００号明細書